(57)【特許請求の範囲】
【請求項１】
表示画面上に複数の操作子を所定のサイズで表示し、所定の機器を操作させる機能を当該複数の操作子に対して表示させる表示手段と、
ユーザが操作子を選択するごとに上記複数の操作子の中からユーザによって先に選択された上記操作子の機能と、次に選択された上記操作子の機能が組み合わされたときの回数によって上記操作子の頻度分布を算出し頻度記憶部に記憶する記憶手段と、
次に選択し得る操作子数と、当該選択し得る操作子数から求められる確率及び上記操作子の頻度分布から求められる確率の重み付け係数Ｗｃ（ただし０＜Ｗｃ＜１）とを用いて所定の数式により次に選択される操作子の確率を算出し、算出された結果の上記確率に基づいて次に選択される操作子の上記サイズを決定する決定手段と
を具えることを特徴とする入力操作装置。
【請求項２】
上記決定手段によって決定されたサイズごとの上記操作子の表示態様を上記頻度分布に応じて変更する変更手段と
を具えることを特徴とする請求項１に記載の入力操作装置。
【請求項３】
上記変更手段は、次に選択し得る操作子数から求められる確率に基づいて上記操作子の表示態様を変更する
ことを特徴とする請求項２に記載の入力操作装置。
【請求項４】
上記操作子の表示態様は、サイズ及び位置でなる
ことを特徴とする請求項２に記載の入力操作装置。
【請求項５】
表示画面上に複数の操作子を所定のサイズで表示し、所定の機器を操作させる機能を当該複数の操作子に対して表示させる表示ステップと、
ユーザが操作子を選択するごとに上記複数の操作子の中からユーザによって先に選択された上記操作子の機能と、次に選択された上記操作子の機能が組み合わされたときの回数によって上記操作子の頻度分布を算出し頻度記憶部に記憶する記憶ステップと、
次に選択し得る操作子数と、当該選択し得る操作子数から求められる確率及び上記操作子の頻度分布から求められる確率の重み付け係数Ｗｃ（ただし０＜Ｗｃ＜１）とを用いて所定の数式により次に選択される操作子の確率を算出し、算出された結果の上記確率に基づいて次に選択される操作子の上記サイズを決定する決定ステップと
を具えることを特徴とする入力操作方法。
【発明の詳細な説明】
【０００１】
【発明の属する技術分野】
本発明は入力操作装置に関し、例えばタッチパネル機能付きの表示パネルから操作情報を入力する入力装置に適用して好適なものである。
【０００２】
【従来の技術】
従来、タッチパネル機能付きの表示パネルを有する入力装置においては、ユーザが、表示パネルに表示されている複数のアイコンのうち、所望のアイコンを選択して触れることにより、当該アイコンに割り当てられている機能を操作対象の装置に指示するようになされている。この入力装置では、ユーザの操作によって表示内容を変更し得るようにしたり、アイコンをグループ化してなるメニューを階層的に表示することにより、操作性を向上している。
【０００３】
【発明が解決しようとする課題】
ところでかかる構成の入力装置においては、操作対象の装置が多機能化することに伴って、アイコンの数が増加したり、メニューの階層が深くなってきており、また装置本体の小型化が進められていることもあって、操作が複雑になっている。
【０００４】
本発明は以上の点を考慮してなされたもので、従来に比して一段と使い勝手を向上し得る入力操作装置を提案しようとするものである。
【０００５】
【課題を解決するための手段】
かかる課題を解決するため本発明においては、表示画面上に複数の操作子を所定のサイズで表示し、所定の機器を操作させる機能を当該複数の操作子に対して表示させる表示手段と、ユーザが操作子を選択するごとに複数の操作子の中からユーザによって先に選択された操作子の機能と、次に選択された操作子の機能が組み合わされたときの回数によって操作子の頻度分布を算出し頻度記憶部に記憶する記憶手段と、次に選択し得る操作子数と、当該選択し得る操作子数から求められる確率及び操作子の頻度分布から求められる確率の重み付け係数Ｗｃ（ただし０＜Ｗｃ＜１）とを用いて所定の数式により次に選択される操作子の確率を算出し、算出された結果の確率に基づいて次に選択される操作子のサイズを決定する決定手段とを設けるようにした。
【０００６】
この結果、本願発明の入力操作装置では、次に選択される可能性の高い操作子をユーザに選択し易いサイズで表示することができるので、表示された操作子を直接操作する上で使い勝手を向上することができる。
【０００７】
【発明の実施の形態】
以下図面について、本発明の一実施の形態を詳述する。
【０００８】
図１において、１は全体としてリモートコマンダ（遠隔操作装置）を示し、ユーザの操作に応じて、操作対象である図示しないビデオテープレコーダ（ＶＴＲ：Video Tape Recorder ）を動作させるようになされている。このリモートコマンダ１は、操作情報を入力する入力手段としてタッチパネル機能付きの表示パネル２を有している。表示パネル２は、図２に示すように、各種アイコン３を表示するようになされており、具体的にはＶＴＲの電源のオン・オフ動作を指示するオン・オフアイコン３Ａ、ビデオテープに映像の記録を指示する記録アイコン３Ｂ、ＶＴＲの動作の停止を指示する停止アイコン３Ｃ、ビデオテープの巻戻しを指示する巻戻しアイコン３Ｄ、ビデオテープの再生を指示する再生アイコン３Ｅ、ビデオテープの早送りを指示する早送りアイコン３Ｆを表示している。
【０００９】
この状態において、ユーザが、表示パネル２に表示されている複数のアイコン３Ａ〜３Ｆのうち所望のアイコン３を選択して触れると、表示パネル２は、選択されたアイコン３に応じた機能の機能選択信号Ｓ１を制御部５に送出する。制御部５は、リモートコマンダ１全体を制御するものであり、表示パネル２から供給された機能選択信号Ｓ１をＩＲ（Infrared Radiation）発信部６に送出する。ＩＲ発信部６は、この機能選択信号Ｓ１に応じた赤外線信号ＩＲ１を生成し、これをＶＴＲ（図示せず）に向けて発信する。ＶＴＲは、この赤外線信号ＩＲ１を受光することにより、その受光結果に応じた動作を行うようになされている。
【００１０】
ここで図３は、ユーザの操作によって複数のアイコン３Ａ〜３Ｆのうち所望のアイコン３が順次選択されていく状態遷移図を示す。ユーザは、まずリモートコマンダ１のオン・オフアイコン３Ａを選択してＶＴＲの電源を投入する。この状態において、ユーザは、複数のアイコン３Ａ〜３Ｆのうち、オン・オフアイコン３Ａ、再生アイコン３Ｅ、早送りアイコン３Ｆ、巻戻しアイコン３Ｄ、記録アイコン３Ｂを選択する可能性があるのに対して、停止アイコン３Ｃを選択する可能性はない。ＶＴＲの電源を投入しただけで、ＶＴＲが動作していないことから、この状態で停止アイコン３Ｃを選択する可能性はないからである。
【００１１】
このうち例えば再生アイコン３Ｅを選択すると、ＶＴＲは次の状態に遷移する。この状態において、ユーザは、複数のアイコン３Ａ〜３Ｆのうち、オン・オフアイコン３Ａ、停止アイコン３Ｃ、早送りアイコン３Ｆ、巻戻しアイコン３Ｄを選択する可能性があるのに対して、再生アイコン３Ｅ、記録アイコン３Ｂを選択する可能性はない。
【００１２】
このようにリモートコマンダ１では、複数のアイコン３Ａ〜３Ｆのうち所望のアイコン３が選択されている状態において、次に選択されるアイコン３の範囲を限定することができる。図４は、このようなアイコン３の選択範囲を示し、前回選択されたアイコン３から今回選択される可能性のあるアイコン３の範囲を表している。
【００１３】
具体的には、ユーザは、前回オン・オフアイコン３Ａを選択した場合には、今回は、オン・オフアイコン３Ａ、再生アイコン３Ｅ、記録アイコン３Ｂ、早送りアイコン３Ｆ、巻戻しアイコン３Ｄを選択する可能性があるのに対して、停止アイコン３Ｃを選択する可能性はない。またユーザは、前回停止アイコン３Ｃを選択した場合には、今回は、オン・オフアイコン３Ａ、再生アイコン３Ｅ、記録アイコン３Ｂ、早送りアイコン３Ｆ、巻戻しアイコン３Ｄを選択する可能性があるのに対して、停止アイコン３Ｃを選択する可能性はない。
【００１４】
以下、同様にユーザは、前回再生アイコン３Ｅを選択した場合には、今回は、オン・オフアイコン３Ａ、停止アイコン３Ｃ、早送りアイコン３Ｆ、巻戻しアイコン３Ｄを選択する可能性があり、前回記録アイコン３Ｂを選択した場合には、今回は、停止アイコン３Ｃを選択する可能性がある。
【００１５】
またユーザは、前回早送りアイコン３Ｆを選択した場合には、今回は、オン・オフアイコン３Ａ、停止アイコン３Ｃ、再生アイコン３Ｅ、巻戻しアイコン３Ｄを選択する可能性があり、前回巻戻しアイコン３Ｄを選択した場合には、今回は、オン・オフアイコン３Ａ、停止アイコン３Ｃ、再生アイコン３Ｅ、早送りアイコン３Ｆを選択する可能性がある。
【００１６】
このようなアイコン３の選択範囲を示す状態遷移データは、状態遷移記憶部７に予め記憶されており、必要に応じて当該状態遷移記憶部７から読み出されるようになされている。
【００１７】
ところで制御部５は、表示パネル２から供給された機能選択信号Ｓ１を、ＩＲ発信部６に送出すると共に割り付け変更部８を介して頻度記憶部９に送出するようになされている。このようにして頻度記憶部９は、ユーザが所望のアイコン３を選択する毎に順次供給される機能選択信号Ｓ１に基づいて、前回選択されたアイコン３と今回選択されたアイコン３の組み合わせが、これまで何回行われたかを示す頻度分布（以下、これを機能頻度分布と呼ぶ）を作成して記憶すると共に、機能選択信号Ｓ１が供給される毎にこの機能頻度分布を更新する。
【００１８】
これにより頻度記憶部９は、ユーザが使用開始時から所定の回数以上アイコン３を選択する動作を行うと、図５に示すような機能頻度分布を生成する。このユーザの場合、例えば前回停止アイコン３Ｃが選択され、次に再生アイコン３Ｅが選択された回数は４回であることを示している。また、このユーザはオン・オフアイコン３Ａを選択して電源を切る前に、停止アイコン３Ｃを選択してＶＴＲ（図示せず）を停止させていることがわかり、このユーザがアイコン３を選択する際の選択順の特徴を把握することができる。
【００１９】
ところで表示パネル２の表示画面は、図６に示すように、図中矢印Ｘ方向に６分割されると共に、矢印Ｙ方向に４分割され、合計２４分割されている。頻度記憶部９は、図７に示すように、ユーザが所望のアイコン３を選択する毎に順次供給される機能選択信号Ｓ１に基づいて、表示パネル２の表示画面のうち、どの位置が何回触れられたかを示す頻度分布（以下、これを位置頻度分布と呼ぶ）を生成する。このユーザは、これまでにＸＹ座標（５、４）で示される位置を８回触れていることがわかり、ＸＹ座標が大きい位置に配置されているアイコン３を選択する可能性が高いことを示している。
【００２０】
割り付け変更部８は、頻度記憶部９から機能頻度分布及び位置頻度分布を読み出し、当該機能頻度分布及び位置頻度分布に基づいて、表示する各アイコン３Ａ〜３Ｆの面積及び位置をそれぞれ決定することにより割り付け変更信号Ｓ２を生成し、これを制御部５に与える。制御部５は、各アイコン３Ａ〜３Ｆをそれぞれ割り付け変更信号Ｓ２に基づく面積及び位置によって表示パネル２に表示する。
【００２１】
ここで例えば前回オン・オフアイコン３Ａが選択された場合に行われるアイコン３Ａ〜３Ｆの面積の決定について説明する。この場合、図５に示すように、次に選択される可能性のあるアイコン３は、オン・オフアイコン３Ａ、再生アイコン３Ｅ、記録アイコン３Ｂ、早送りアイコン３Ｆ、巻戻しアイコン３Ｄのいずれかであり、これまでに選択された回数はそれぞれ「１、１、０、０、４」である。
【００２２】
割り付け変更部８は、これまでに選択された回数が多い順、すなわち巻戻しアイコン３Ｄ、オン・オフアイコン３Ａ、再生アイコン３Ｅ、記録アイコン３Ｂ、早送りアイコン３Ｆの順にそれぞれ優先順位Ｆ１〜Ｆ４をつけると共に、それぞれの頻度ｆ1 〜ｆ5 を「４、１、１、０、０」とする。
【００２３】
そこで割り付け変更部８は、巻戻しアイコン３Ｄ、オン・オフアイコン３Ａ、再生アイコン３Ｅ、記録アイコン３Ｂ、早送りアイコン３Ｆそれぞれが次に選択される確率ｐi を、次式
【００２４】
【数１】
0004551507.tif 000002
【００２５】
によって求める。ここで、Ｃｎは選択し得るアイコン数（この場合は５）である。またＷｃは、選択し得るアイコン数Ｃｎから求められる確率と機能頻度分布から求められる確率との重み付けを行う係数（この場合は0.5 ）であり、この重み付け係数Ｗｃを大きくすると、機能頻度分布から求められる確率の影響が大きくなる一方、小さくすると、選択し得るアイコン数Ｃｎから求められる確率の影響が大きくなる。因みに、重み付け係数Ｗｃを１にすると、これまでに選択されなかったアイコン３は、次に選択され得る候補から削除される。
【００２６】
そして割り付け変更部８は、巻戻しアイコン３Ｄ、オン・オフアイコン３Ａ、再生アイコン３Ｅ、記録アイコン３Ｂ、早送りアイコン３Ｆそれぞれに割り付ける割り付け面積Ｓi を、次式
【００２７】
【数２】
0004551507.tif 000003
【００２８】
によって求める。ここでＳall は、アイコン３に割り付けることが可能な総面積を示す。因みに、アイコン３は必ずしも表示画面全体に割り付ける必要はないので、総面積Ｓall としては、表示画面全体の面積２４のうちの一部（例えば１５）が設定される。
【００２９】
次いでアイコン３Ａ〜３Ｆの位置の決定について説明する。図７に示すように、最もユーザにとって触れ易い位置は、ＸＹ座標が（５、４）及び（６、４）付近であることがわかる。これにより割り付け変更部８は、最も高い優先順位Ｆ１の巻戻しアイコン３Ｄを、ＸＹ座標が（５、３）、（５、４）、（６、３）、（６、４）付近の位置に割り付けることを決定する。
【００３０】
この後、割り付け変更部８は、２番目に高い優先順位Ｆ２のオン・オフアイコン３Ａを、同じく２番目に触れ易い領域であるＸＹ座標（３、２）、（３、３）、（４、２）、（４、３）付近の位置に割り付ける。その際、割り付け変更部８は、仮に割り付けられたオン・オフアイコン３Ａが、既に割り付けられている巻戻しアイコン３Ｄに重なる場合には、まだ割り付けられていない位置の中から、オン・オフアイコン３Ａを割り付ける位置を決定したり、その面積を小さく変更したりするなどして、オン・オフアイコン３Ａの割り付ける位置を補正する。
【００３１】
以下、同様にして割り付け変更部８は、優先順位Ｆの高いものから順に、残りの再生アイコン３Ｅ、記録アイコン３Ｂ、早送りアイコン３Ｆを割り付ける位置を順次決定していく。このようにして割り付け変更部８は、頻度記憶部９に記憶されている機能頻度分布及び位置頻度分布に応じて、表示するアイコン３の面積及び位置を順次決定していくことにより、図８に示すような画面の表示パネル２を生成する。これにより、次に選択される可能性が最も高い巻戻しアイコン３Ｄは、最も広い面積であって、かつ最も触れ易い位置に表示されていることがわかる。
【００３２】
ここで割り付け変更部８によるアイコン３の割り付け変更手順について図９に示すフローチャートを用いて説明する。まずステップＳＰ１から入ったステップＳＰ２において、割り付け変更部８は、頻度記憶部９から前回選択されたアイコン３を読み出す。ステップＳＰ３において、割り付け変更部８は、状態遷移記憶部７からアイコン３の選択範囲を示す状態遷移データを読み出し、当該状態遷移データから次に選択し得るアイコン３の候補を抽出する。
【００３３】
ステップＳＰ４において、割り付け変更部８は、ユーザが使用開始時から所定の回数以上アイコン３を選択する動作を行ったか否かを判定し、その結果、所定の回数以上アイコン３を選択する動作を行った場合にはステップＳＰ５に移行し、所定の回数以上行っていない場合にはステップＳＰ６に移って処理を終了する。
【００３４】
ステップＳＰ５において、割り付け変更部８は、頻度記憶部９に記憶されている機能頻度分布に基づいて、次に選択される可能性のあるアイコン３に優先順位Ｆをつける。ステップＳＰ７において、割り付け変更部８は、次に選択される可能性のあるアイコン３の候補の中から、優先順位の高いものを順に選択する。
【００３５】
ステップＳＰ９において、割り付け変更部８は、アイコン３の候補が残っているか否か判定し、その結果、アイコン３の候補が残っている場合にはステップＳＰ９に移行し、残っていない場合にはステップＳＰ６に移って処理を終了する。
ステップＳＰ８において、割り付け変更部８は、選択されたアイコン３の面積及び位置を決定し、決定後は、ステップＳＰ７に移行する。
【００３６】
続いてアイコン３の面積及び位置を決定する決定手順（ステップＳＰ９）について図１０に示すフローチャートを用いて説明する。ステップＳＰ１０から入ったステップＳＰ１１において、割り付け変更部８は、機能頻度分布に基づいてアイコン３を表示パネル２に表示する際の面積を決定する。ステップＳＰ１２において、割り付け変更部８は、位置頻度分布に基づいてアイコン３を表示パネル２に表示する際の位置を決定する。
【００３７】
ステップＳＰ１３において、割り付け変更部８は、アイコン３が既に割り付けられているアイコン３に重なるか否か判定する。その結果、重なる場合にはステップＳＰ１４に移行し、重ならない場合にはステップＳＰ１５に移行する。ステップＳＰ１４において、割り付け変更部８は、アイコン３の割り付ける位置を補正した後、再度ステップＳＰ１３に戻って動作を繰り返す。ステップＳＰ１５において、割り付け変更部８は、決定された面積及び位置に応じてアイコン３を表示する。
【００３８】
この状態において、ユーザが、表示パネル２に表示されているアイコン３のうち所望のものを選択すると、割り付け変更部８は、ステップＳＰ１６において、選択したアイコン３の頻度に１を加えて機能頻度分布を更新すると共に、ステップＳＰ１７において、触れた位置の座標の頻度に１を加えて位置頻度分布を更新する。次にステップＳＰ１８に移って処理を終了する。
【００３９】
以上の構成において、リモートコマンダ１は、ユーザによって所望のアイコン３が選択されると、次に選択し得るアイコン３のうち、選択される可能性の高いアイコン３から順に、ユーザにとって触れ易くかつ大きい面積で表示パネル３に順次割り付けて表示していくことにより、次に選択される可能性の高いアイコン３をユーザにとって選択し易い状態で表示することができる。
【００４０】
以上の構成によれば、ユーザによって選択されたアイコン３に応じて各アイコン３の表示パネル２に対する割り付けを変更することにより、表示パネル２に表示される各アイコン３をユーザにとって操作し易い状態で表示することができ、かくして従来に比して一段と使い勝手を向上し得る。
【００４１】
なお上述の実施の形態においては、本発明をＶＴＲのリモートコマンダ１に適用した場合について述べたが、本発明はこれに限らず、例えばテレビジョン（ＴＶ）受像機のリモートコマンダ（以下、これをＴＶリモートコマンダと呼ぶ）のような他の種々のリモートコマンダに本発明を広く適用し得る。
【００４２】
例えば図１１に示すように、ＴＶリモートコマンダは、表示パネル２０に、円形状の１チャンネルアイコン２１Ａ、３チャンネルアイコン２１Ｂ、４チャンネルアイコン２１Ｃ、６チャンネルアイコン２１Ｄ、８チャンネルアイコン２１Ｅ、１０チャンネルアイコン２１Ｆ、１２チャンネルアイコン２１Ｇをそれぞれ同一面積で等間隔に表示している。
【００４３】
この状態において、ユーザがチャンネルを所定回数（例えば１００回）選局すると、ＴＶリモートコマンダは、図１２に示すように、どのチャンネルが何回選局されたかを示す頻度分布（以下、これをチャンネル頻度分布と呼ぶ）を生成する。この場合、１チャンネルアイコン２１Ａ、３チャンネルアイコン２１Ｂ、４チャンネルアイコン２１Ｃ、６チャンネルアイコン２１Ｄ、８チャンネルアイコン２１Ｅ、１０チャンネルアイコン２１Ｆ、１２チャンネルアイコン２１Ｇがそれぞれ選局された回数は、「１０、４、１４、１５、２８、１８、１１」である。
【００４４】
そしてＴＶリモートコマンダは、これまでに選択された回数の多い順に優先順位をつけ、当該優先順位の順に各アイコン２１の面積及び位置を決定する。すなわち、ＴＶ受像機のリモートコマンダは、優先順位の高いアイコン２１から順に大きい面積を各アイコン２１に割り付けると共に、図１３に示すように、アイコン２１を表示する領域うち、ユーザによって触れられた位置が、当該アイコン２１の中心Ｐ１からどれだけずれているかを示すずれベクトルを決定し、このずれベクトルが示す位置Ｐ２にアイコン２１の中心を移動させることにより、アイコン２１全体の位置を補正するようになされている。そしてＴＶリモートコマンダは、このような処理を各アイコン２１に順次施すことにより、図１４に示すような表示画面を生成する。
【００４５】
ここでアイコン２１の面積及び位置を決定する決定手順について図１５に示すフローチャートを用いて説明する。まずステップＳＰ３０から入ったステップＳＰ３１において、ＴＶリモートコマンダは、これまでに選局された頻度からアイコン２１の面積を決定する。ステップＳＰ３２において、ＴＶリモートコマンダは、算出されたずれベクトルからアイコン２１の位置を決定する。
【００４６】
ステップＳＰ３３において、ＴＶリモートコマンダは、面積及び位置を決定したアイコン２１が、既に割り付けられているアイコン２１と重なるか否か判定する。その結果、ステップＳＰ３４において、既に割り付けられているアイコン２１と重なる場合にはステップＳＰ３５に移行する一方、重ならない場合にはステップＳＰ３６に移って処理を終了する。ステップＳＰ３５において、ＴＶリモートコマンダは、アイコン２１の面積及び位置を補正した後、ステップＳＰ３３に移って上述の動作を繰り返す。
【００４７】
また上述の実施例においては、本発明をタッチパネル機能付きの表示パネル２に適用した場合について述べたが、本発明はこれに限らず、例えば図１との対応部分に同一符号を付して示す図１６に示すように、操作表示部３１に表示手段を有する操作ボタン３２Ａ〜３２Ｆを形成し、次に選択し得る操作ボタン３２のみを点灯すると共に、残りの操作ボタン３２は無効にしても上述と同様の効果を得ることができる。
【００４８】
また上述の実施の形態においては、予め決められた状態遷移データを状態遷移記憶部７に記憶した場合について述べたが、本発明はこれに限らず、所定回数アイコン３を選択する動作を行った後、頻度機能分布に基づいて状態遷移データの内容を必要に応じて変更するようにしても良い。
【００４９】
また上述の実施の形態においては、前回選択されたアイコン３に応じてアイコン３の割り付けを変更した場合について述べたが、本発明はこれに限らず、例えば前回及び２回前に選択されたアイコン３に応じてアイコン３の割り付けを変更しても良く、要は、これまでのアイコン３の操作履歴からアイコン３の割り付けを変更すれば良い。
【００５０】
また上述の実施の形態においては、アイコン３を所定回数選択することによって機能頻度分布を生成した場合について述べたが、本発明はこれに限らず、ユーザによって予め決められた一定の機能頻度分布を作成しておき、これを頻度記憶部９に記憶しても良い。
【００５１】
また上述の実施の形態においては、各アイコン３がそれぞれ次に選択される確率Ｐi を上述の（１）式によって求めた場合について述べたが、本発明はこれに限らず、例えば各アイコン３がそれぞれ次に選択される確率ｐi を、次式
【００５２】
【数３】
0004551507.tif 000004
【００５３】
によって求めても良い。ここでＣｆi は、予め設定されている定数であり、リモートコマンダ１を使用する頻度が増加することに連動して、確率ｐi に影響を与える度合いが小さくなる。
【００５４】
また上述の実施の形態においては、リモートコマンダ１によってＶＴＲを操作した場合について述べたが、本発明はこれに限らず、例えば表示パネル２に表示画面を切り換える切換アイコンを設けることによって複数の機器を操作しても良い。
【００５５】
また上述の実施の形態においては、１人のユーザによってリモートコマンダ１を操作する場合について述べたが、本発明はこれに限らず、例えば表示パネル２に表示画面を切り換える切換アイコンを設けることによって、リモートコマンダを複数のユーザが使用しても良い。
【００５６】
さらに上述の実施の形態においては、本発明をリモートコマンダ１に適用した場合について述べたが、本発明はこれに限らず、要は、複数の操作子の中から所望のものを選択するような入力操作装置に本発明を広く適用し得る。
【００５７】
【発明の効果】
上述のように本発明によれば、表示画面上に複数の操作子を所定のサイズで表示し、所定の機器を操作させる機能を当該複数の操作子に対して表示させ、ユーザが操作子を選択するごとに複数の操作子の中からユーザによって先に選択された操作子の機能と、次に選択された操作子の機能が組み合わされたときの回数によって操作子の頻度分布を算出し、次に選択し得る操作子数と、当該選択し得る操作子数から求められる確率及び操作子の頻度分布から求められる確率の重み付け係数Ｗｃ（ただし０＜Ｗｃ＜１）とを用いて所定の数式により次に選択される操作子の確率を算出し、算出された結果の確率に基づいて次に選択される操作子のサイズを決定するようにしたことにより、次に選択される可能性の高い操作子をユーザに選択し易いサイズで表示することができるので、表示された操作子を直接操作する上で使い勝手を向上することができ、かくして使い勝手の良い入力操作装置を実現することができる。
【図面の簡単な説明】
【図１】本発明によるリモートコマンダの一実施の形態を示すブロック図である。
【図２】表示パネルの初期画面を示す略線図である。
【図３】リモートコマンダの操作による状態遷移図を示す略線図である。
【図４】アイコンの選択範囲を示す図表である。
【図５】選択された機能の頻度分布を示す図表である。
【図６】表示パネルのＸＹ座標を示す略線図である。
【図７】選択された位置の頻度分布を示す図表である。
【図８】表示パネルの変更画面を示す略線図である。
【図９】割り付け変更手順を示すフローチャートである。
【図１０】アイコンの面積及び位置の決定手順を示すフローチャートである。
【図１１】他の実施の形態による表示パネルの初期画面を示す略線図である。
【図１２】選択されたチャンネルの頻度分布を示す図表である。
【図１３】ずれベクトルの決定を示す略線図である。
【図１４】他の実施の形態による表示パネルの変更画面を示す略線図である。
【図１５】他の実施の形態によるアイコンの面積及び位置の決定手順を示すフローチャートである。
【図１６】他の実施の形態によるリモートコマンダの構成を示すブロック図である。
【符号の説明】
１……リモートコマンダ、２……表示パネル、３……アイコン、５……制御部、６……ＩＲ発信部、７……状態遷移記憶部、８……割り付け変更部、９……頻度記憶部。
【図１】
0004551507.tif 000005
【図２】
0004551507.tif 000006
【図３】
0004551507.tif 000007
【図４】
0004551507.tif 000008
【図５】
0004551507.tif 000009
【図６】
0004551507.tif 000010
【図７】
0004551507.tif 000011
【図８】
0004551507.tif 000012
【図９】
0004551507.tif 000013
【図１０】
0004551507.tif 000014
【図１１】
0004551507.tif 000015
【図１２】
0004551507.tif 000016
【図１３】
0004551507.tif 000017
【図１４】
0004551507.tif 000018
【図１５】
0004551507.tif 000019
【図１６】
0004551507.tif 000020